(57)【特許請求の範囲】
【請求項１】
上下に跨がる左身頃部２と右身頃部３と、天部４と、襠５を夫々編成し、これを縫製してなり、前面腹部の中央部１０と両脇ウエスト部１２と両身頃部２，３と背面中央部１８と中間リング状部２１と両尻中央部２０と背面尻部の周辺部１１と襠５とからなるガードル等のファンデーションにおいて、腹直筋１７に副って下面が逆ハの字状の菱形からなる前面Ｆ１の上部に位置する腹部中央部１０と、背面Ｂ１の背骨Ｂｂの逆三角形状の背面中央部１８は、粗い格子柄組織の厚地Ｔｋに編成し、腹部中央部１０下部から両身頃上部２ａ，３ａ周りと、両脇ウエスト部１２と背面中央部１８の下部１９から背骨で二分割されたＣ字状からなる背面尻部の外輪周辺部１１は粗い平編組織の厚地Ｔｋに編成し、両身頃下部２ｂ，３ｂと、両尻中央部２０と、襠５は薄い平編組織の薄地Ｏｋに編成し、尻中央部２０と背面尻部の周辺部１１との間で一端を天部４に接続し、両尻中央部２０を囲み略楕円形状をなす中間リング状部２１は粗い平編組織の薄地Ｏｋに編成し、段差の生じないように厚地Ｔｋから薄地Ｏｋに至る両端では、裏面で補強糸１３を切断Ｃｔし、前記薄編地は表糸とポリウレタン弾性糸にナイロン糸をカバリングしたカバリングヤーンからなる芯糸とからなり、前記厚編地は表糸とポリウレタン弾性糸にナイロン糸をカバリングしたカバリングヤーンからなる芯糸とポリウレタン弾性糸にナイロン糸をカバリングした４０デニール以上の太番手のカバリングヤーン糸とからなる補強糸でなることを特徴とするガードル等のファンデーション。
【請求項２】
上下に跨がる左身頃部１０２と右身頃部１０３と、天部１０４と、襠１０５を夫々編成し、これを縫製してなり、前面腹部の中央部１１０と両脇ウエスト部１１２と両身頃部１０２，１０３と背面中央部１１８と両尻中央部１２０と背面尻部の外輪周辺部１１１と襠１０５とからなるガードル等のファンデーションにおいて、腹直筋１７に副って襠１０５に至る下面逆ハの字状の菱形からなる腹部中央部１１０は、粗い平編組織の厚地Ｔｋに編成し、前面Ｆ２の腹部中央部１１０の菱形上辺に副ったハの字状の両身頃上部１０２ａ，１０３ａから両脇ウエスト部１１２を経由して背面Ｂ２に至る尻部の外輪周辺部１１１と、背骨の逆三角形状の中心上部１１８とは粗い平編組織の厚地Ｔｋに編成し、両身頃下部１０２ｂ，１０３ｂと、襠１０５は薄い平編組織の薄地Ｏｋに編成し、一端を天部に接続し略楕円形状をなす両尻中央部１２０は、粗い平編の薄地Ｏｋに編成し、厚地Ｔｋから薄地Ｏｋに至る両端では、厚地Ｔｋに使用した補強糸１３を切断し、前記薄編地は表糸とポリウレタン弾性糸にナイロン糸をカバリングしたカバリングヤーンからなる芯糸とからなり、前記厚編地は表糸とポリウレタン弾性糸にナイロン糸をカバリングしたカバリングヤーンからなる芯糸とポリウレタン弾性糸にナイロン糸をカバリングした４０デニール以上の太番手のカバリングヤーン糸とからなる補強糸でなることを特徴とするガードル等のファンデーション。
【発明の詳細な説明】
【０００１】
【発明の属する技術分野】
本発明は、ガードルまたはガードル付きパンティストッキング等に係り、さらに詳しくは腹部を締め付けヒップアップ効果を付与したガードル等のファンデーションに関するものである。
【０００２】
【従来の技術】
従来、婦人用のガードル等は、腹部を押さえて美しい体形線に現出させるため、腹部の中央部に菱形等の伸びない生地を二重に縫製するようにしている。ところが、この部分だけ生地が異なるための違和感があり、腹部の中央のみを圧迫するのが欠点とっていた。
【０００３】
また従来の別の腹部を押さえる方法としては、ダブルカバリングヤーンを使用して、腹部中央部の編組織に変化を持たせて、締め付け圧に強弱をつけるようにしている。しかし、この方法では、強弱の締め付け圧は若干しかつかず、この程度では腹部を完全に押さえる効果は全く期待できない。
【０００４】
さらに腹部整形片を入れる方法も提案されている。しかし、前屈みの姿勢や座った時、コ−ナが下腹部を押圧刺激するので、好ましい方法ではない。
【０００５】
この点、特開平８−６０４０７号公報に記載された技術が、最近の最も進んだ技術として評価されている。即ちこの技術は、腹部加圧片を腹直筋に副って逆ハの字状に入れて、前屈みの姿勢や座った時にも圧迫感のないよう対応させたものである。しかしながら、腹部加圧片としては、相変わらず樹脂製や金属製のシート物等が使されているため、破れやすく、違和感があり、局部的であって両脇ウエスト部には全く効果のないものである。
【０００６】
一方、ガードル等には、ヒップアップ効果も要求される。このヒップアップ効果を付与させるためには、尻部の生地を膨らませて伸びやすくし、周辺の生地を伸びの抑制したものにする方法が既に用いられている。しかし、腹部の押圧とヒップアップ効果の付与とは、異質の技術からなっている。
【０００７】
【発明が解決しようとする課題】
上記の事情に鑑み、本発明は、腹部を場所によって段階的に押圧して美しい体形線を現出させるとともに、ヒップアップ効果をも兼ねた編組織の変化のみによるガードル等のファンデーションの提供を課題とする。
【０００８】
【課題を解決するための手段】
本発明は、上記目的を達成するために、上下に跨がる左身頃部２と右身頃部３と、天部４と、襠５を夫々編成し、これを縫製してなり、前面腹部の中央部１０と両脇ウエスト部１２と両身頃部２，３と背面中央部１８と中間リング状部２１と両尻中央部２０と背面尻部の周辺部１１と襠５とからなるガードル等のファンデーションにおいて、腹直筋１７に副って下面が逆ハの字状の菱形からなる前面Ｆ１の上部に位置する腹部中央部１０と、背面Ｂ１の背骨Ｂｂの逆三角形状の背面中央部１８は、粗い格子柄組織の厚地Ｔｋに編成し、腹部中央部１０下部から両身頃上部２ａ，３ａ周りと、両脇ウエスト部１２と背面中央部１８の下部１９から背骨で二分割されたＣ字状からなる背面尻部の外輪周辺部１１は粗い平編組織の厚地Ｔｋに編成し、両身頃下部２ｂ，３ｂと、両尻中央部２０と、襠５は薄い平編組織の薄地Ｏｋに編成し、尻中央部２０と背面尻部の周辺部１１との間で一端を天部４に接続し、両尻中央部２０を囲み略楕円形状をなす中間リング状部２１は粗い平編組織の薄地Ｏｋに編成し、段差の生じないように厚地Ｔｋから薄地Ｏｋに至る両端では、裏面で補強糸１３を切断Ｃｔし、前記薄編地は表糸とポリウレタン弾性糸にナイロン糸をカバリングしたカバリングヤーンからなる芯糸とからなり、前記厚編地は表糸とポリウレタン弾性糸にナイロン糸をカバリングしたカバリングヤーンからなる芯糸とポリウレタン弾性糸にナイロン糸をカバリングした４０デニール以上の太番手のカバリングヤーン糸とからなる補強糸でなることを特徴とするガードル等のファンデーション及び上下に跨がる左身頃部１０２と右身頃部１０３と、天部１０４と、襠１０５を夫々編成し、これを縫製してなり、前面腹部の中央部１１０と両脇ウエスト部１１２と両身頃部１０２，１０３と背面中央部１１８と両尻中央部１２０と背面尻部の外輪周辺部１１１と襠１０５とからなるガードル等のファンデーションにおいて、腹直筋１７に副って襠１０５に至る下面逆ハの字状の菱形からなる腹部中央部１１０は、粗い平編組織の厚地Ｔｋに編成し、前面Ｆ２の腹部中央部１１０の菱形上辺に副ったハの字状の両身頃上部１０２ａ，１０３ａから両脇ウエスト部１１２を経由して背面Ｂ２に至る尻部の外輪周辺部１１１と、背骨の逆三角形状の中心上部１１８とは粗い平編組織の厚地Ｔｋに編成し、両身頃下部１０２ｂ，１０３ｂと、襠１０５は薄い平編組織の薄地Ｏｋに編成し、一端を天部に接続し略楕円形状をなす両尻中央部１２０は、粗い平編の薄地Ｏｋに編成し、厚地Ｔｋから薄地Ｏｋに至る両端では、厚地Ｔｋに使用した補強糸１３を切断し、前記薄編地は表糸とポリウレタン弾性糸にナイロン糸をカバリングしたカバリングヤーンからなる芯糸とからなり、前記厚編地は表糸とポリウレタン弾性糸にナイロン糸をカバリングしたカバリングヤーンからなる芯糸とポリウレタン弾性糸にナイロン糸をカバリングした４０デニール以上の太番手のカバリングヤーン糸とからなる補強糸でなることを特徴とするガードル等のファンデーションを構成するものである。
【０００９】
【発明の実施の態様】
以下、本発明の実施例を図面に基づいて詳しく説明する。図１は、本発明のガードル等のファンデーションの一実施例を示す平面図である。図２は、図１のガードルを裏返えした状態の平面図である。図３は、図１のガードルを裏返えした状態の背面図である。図４は、本発明のガードル等のファンデーションの別な実施例を示す平面図である。図５は、図４のガードルを裏返えした状態の平面図である。図６は、図４のガードルを裏返えした状態の背面図である。図７は、本発明のガードル等のファンデーションのまた別な実施例を示す平面図である。図８は、図７のガードルを裏返えした状態の平面図である。図９は、図７のガードルを裏返えした状態の背面図である。図１０は、本発明の厚地編地の一実施例を示す組織図である。図１１は、人体腹部の筋肉を示した説明図である。図１２は本発明のパンティストッキングからなるガードル等のファンデーションのさらにまた別な実施例を示す平面図である。
【００１０】
先ず図１，２，３の一実施例と、図１０の組織図と、図１１の人体腹部の筋肉について説明する。本発明のガードル等のファンデーション１において、ガードル等とは、ガードル付きのパンティストッキングも含むものである。またファンデーションとは、女性美を表現する体型のバスト・ウエスト・ヒップを整えるために用いる下着のことであるが、本発明の場合はブラジャーを除くガードル等をさしている。
【００１１】
図１のガードル１は、スタンダード型を示している。ここでガードル１は、もっと丈の長いファンデーションロング型や、もっとウエストを上げたハイウエスト型や、逆に短いローウエスト型や、ショ−ツ型も本発明の中に含まれる。
【００１２】
本実施例のガードル１は、メリヤス編機を使用して、上下に跨がる両身頃２，３と、天部４と、襠５を夫々編成し、これを縫製したもので、６，７，８はその各縫合線を示している。なお左右の身頃２，３は、下のゴム編部９より編成されるが、このゴム編部９はメークアップ編成にてダブルウエルト（袋編）になっている。天部４はゴム糸を挿通した締付組織になっており、これを二重にして縫製している。
【００１３】
図２、図３に示す左身頃２ｂ、右身頃３ｂと両尻中央部２０と襠５とを図１０に示す表糸１４と芯糸１５からなる普通薄地Ｏｋからなり、前面Ｆ１の腹部Ｂｅの中央部１０と、図３の背面Ｂの尻部Ｈｉの周辺部１１と、前面Ｆ１から背面Ｂ１に亘る両脇Ｗｅのウエスト部１２の編地には、表糸１４と芯糸１５に補強糸１３が追加して三本で編成され、普通の薄地Ｏｋとは異なり、厚地Ｔｋを構成している。
【００１４】
この糸使いとしては表糸１４の場合、ナイロンの３０デニ−ル双糸か、ナイロンの４０デニール双糸か、綿８０番手／ナイロン３０デニールの混紡糸等が使用される。また芯糸１５には、１４０デニールのポリウレタン弾性糸に１２デニールのナイロン糸を二回カバリングしたダブルカバリングヤーン（ＤＣＹ）の編糸等が使用される。そして本発明の補強糸１３には、７０デニールのポリウレタン弾性糸に７０デニールのナイロン糸をカバリングしたシングルカバリングヤーン（ＳＣＹ）の編糸からなるサポート糸等が使用される。
【００１５】
そして、本発明に使用される補強糸１３は、カバリング糸からなり、そのカバリング糸は、ポリウレタン弾性糸において１２デニール乃至３０デニール程度の通常の細いものではなく、４０デニール以上の太いサポート糸であることが好ましい。そして補強糸１３は、裏面で厚地Ｔｋの両端にて図２，３，１０に示すように、切断Ｃｔされる。
【００１６】
図１１は、人体腹部Ｂｅから両脚Ｌｅの一部に至る筋肉を説明したものであるが、外腹斜筋１６と腹直筋１７とからなっている。即ち、図１０の前面腹部の中央部１０は、この腹直筋１７に副った逆ハの字状の下面を有する菱形にすることが好ましく、腹部Ｂｅの中心になって一番出っ張りやすい部分である。
【００１７】
また前面Ｆ１ から背面Ｂ１ に亘る両脇Ｗｅのウエスト部１２も、締め付けて体型を整えるべき箇所である。そして図３の背面Ｂ１ の尻部Ｈｉは、周辺部１１も押し上げるようにしてヒップアップすべき箇所である。この尻部Ｈｉの周辺部１１は、図３に示すように、背骨Ｂｂで左右に二分割された各Ｃの字状であることが好ましい。
【００１８】
以上の図１，２，３からなる第１実施例のガードル１は、次の柄編組織からなっている。図１１の腹直筋１７に副って下面が逆ハの字状の菱形からなる前面Ｆ１ の上部に位置する腹部中央部１０と、背面Ｂ１ の背骨Ｂｂの逆三角形状の中心上部１８は、粗い格子柄組織の厚地Ｔｋにして、伸びを強く抑制している。次に腹部中央部１０下部から図１の両身頃上部２ａ，３ａ周りと、両脇ウエスト部１２から図３の背面中央部１８の下部１９から尻部の外輪周辺部１１は、粗い平編組織の厚地Ｔｋにして、適度の締め付けとヒップアップ効果を付与している。
【００１９】
これに対して図２，３の両身頃下部２ｂ，３ｂと、両尻中央部２０と、襠５は薄い平編組織の普通の薄地Ｏｋにして伸びやすくしている。なお、尻中央部２０と外輪周辺部１１との中間リング状部２１には、粗い平編組織の薄地Ｏｋにして、段差の生じないようにしている。従って厚地Ｔｋから薄地Ｏｋに至る両端では、裏面で補強糸１３を切断Ｃｔするようにしいる。
【００２０】
次の図４，５，６は、ガードルの第２実施例を示す。ガードル１０１は、下記の柄編組織からなっている。図１１の腹直筋１７に副って襠１０５に至る下面逆ハの字状の菱形からなる腹部中央部１１０は、粗い平編組織の厚地Ｔｋにして、伸びを強く抑制している。また、図５の前面Ｆ２ の腹部中央部１１０の菱形上辺に副ったハの字状の図４の両身頃上部１０２ａ，１０３ａから両脇ウエスト部１１２を経由して、図６の背面Ｂ２ に至る尻部の外輪周辺部１１１と、背骨の逆三角形状の中心上部１１８とは、粗い平編組織の厚地Ｔｋにして適度の締め付けとヒップアップ効果を付与している。
【００２１】
これに対して、図５，６の両身頃下部１０２ｂ，１０３ｂと、襠１０５は薄い平編組織の普通の薄地Ｏｋにして伸びやすくしている。残る両尻中央部１２０は、粗い平編の薄地Ｏｋにしている。そして前実施例同様に、厚地Ｔｋから薄地Ｏｋに至る両端では、厚地Ｔｋに使用した図１０に示す補強糸１３を切断Ｃｔしている。なお本実施例のガードル１０１は、両厚地Ｔｋの部分を共に裏面で起毛Ｎして、肌ざわりの良さと保温効果を付与している。
【００２２】
上記普通薄地Ｏｋは、表糸１４と芯糸１５からなり、厚地Ｔｋは、表糸１４と芯糸１５に補強糸１３が追加して三本で編成されることは、第１実施例と同様であり、この糸使いも第１実施例と同様である。
【００２３】
図７，８，９は、更に別の第３実施例のガードル２０１を示しており、下記の柄編組織からなっている。図１１の腹直筋１７に副って下面が逆ハの字状の菱形からなる前面Ｆ３ の上部に位置する菱形状腹部中央部２１０と、腹部中央部２１０の菱形上辺に副ったハの字状の図７の両身頃上部２０２ａ，２０３ａから両脇ウエスト部２１２を経由して図９の背面Ｂ３ に至る尻部下部の周辺部２１１と、これに連結した背骨の逆三角形状の中心上部２１８は、粗い綾組織の厚地Ｔｋにして、伸びを強く抑制し、強力なヒップアップ効果を付与するようにしている。
【００２４】
これに対して、図８，９の両身頃２０２ｂ，２０３ｂと襠２０５は、平編組織の普通の薄地Ｏｋにして伸びやすくしている。なお、図７の腹部中央部２１０と、両身頃上部２０２ａ，２０３ａとの中間ハの字状斜面２２１から襠２０５に至る腹部中央部２１０の下部２２２と、残る図９の尻部上部２２３は、粗い平編組織の薄地Ｏｋにしている。そして本実施例の場合も厚地Ｔｋから薄地Ｏｋに至る両端では、厚地Ｔｋに使用した図１０の補強糸１３は切断している。なお本実施例のガードル２０１も、両厚地Ｔｋの部分は、共に裏面で起毛Ｎして肌ざわりの良さと保温効果を付与するようにしている。
【００２５】
上記普通薄地Ｏｋは、表糸１４と芯糸１５からなり、厚地Ｔｋは、表糸１４と芯糸１５に補強糸１３が追加して三本で編成されることは、第１実施例と同様であり、この糸使いも第１実施例と同様である。
【００２６】
最後の図１２に示すものは、ガードル付きパンティストッキングからなるガードル等３０１の一実施例である。左右の身頃３０２，３０３と、天部３０４と、襠３０５を夫々編成して、これを縫製したものである。
【００２７】
このストッキング３０１は、図１，２，３に示す編組織と同じ構成にした例を示している。即ち、腹部中央部３１０と背面の中心上部（図示せず）は、粗い格子柄組織の厚地Ｔｋにして伸びを強く抑制している。また両身頃上部３０２ａ，３０３ａ周りと、尻部の外輪周辺部（図示せず）等は細かい綾柄の厚地Ｔｋにして、適度の締め付けとヒップアップ効果を付与している。
【００２８】
これに対して両身頃下部３０２ｂ，３０３ｂや尻部中央部（図示せず）や襠３０５は、平編組織の薄地Ｏｋにして伸びやすくしている。なお尻中央部（図示せず）と外輪周辺部（図示せず）との中間リング状部（図示せず）には、細かい綾柄の薄地Ｏｋを設けている。そして、厚地Ｔｋから薄地Ｏｋに至る両端では、図１０の補強糸１３を切断Ｃｔしている。
【００２９】
以上、ガードルとガードル付きパンティストッキングの例のみを示したが、本発明のファンデーションァンデションとしては、同様な編組織の変化によって、コルセット，オールインワン，スリーインワン，ウエストニッパー等に応用することもできる。
【００３０】
【発明の効果】
本発明のガードル等は、腹部及び尻部を部位によって効果的に締め付け圧に強弱を持たせ、また段階的に押圧して美しい線を見せ、ヒップアップ効果も満足すべき状態に保つことができた。
【００３１】
本発明のガードル等は、編組織の変化だけで強弱を持たせるようにしたので、肌にやさしく、違和感もなく、破れや刺激を与えることもなく、安価に仕上げることができた。
【図面の簡単な説明】
【図１】本発明のガードル等のファンデーションの第１実施例を示す平面図である。
【図２】図１のガードルを裏返えした状態の平面図である。
【図３】図１のガードルを裏返えした状態の背面図である。
【図４】本発明のガードル等のファンデーションの第２実施例を示す平面図である。
【図５】図４のガードルを裏返えした状態の平面図である。
【図６】図４のガードルを裏返えした状態の背面図である。
【図７】本発明のガードル等のファンデーションの第３実施例を示す平面図である。
【図８】図７のガードルを裏返えした状態の平面図である。
【図９】図７のガードルを裏返えした状態の背面図である。
【図１０】本発明の厚地編地の一実施例を示す組織図である。
【図１１】人体腹部の筋肉を示した説明図である。
【図１２】本発明のパンティストッキングからなるガードル等のファンデーションのさらにまた別な実施例を示す平面図である。
【符号の説明】
１，１０１，２０１，３０１          ガードル等
２，３０２                          左身頃
２ａ，１０２ａ，２０２ａ，３０２ａ  左身頃上部
２ｂ，１０２ｂ，２０２ｂ，３０２ｂ  左身頃下部
３，３０３                          右身頃
３ａ，１０３ａ，２０３ａ，３０３ａ  右身頃上部
３ｂ，１０３ｂ，２０３ｂ，３０３ｂ  右身頃下部
４，３０４                          天部
５，１０５，２０５，３０５          襠
６，７，８                          縫合線
９                                  ゴム編部
１０，１１０，２１０，３１０        腹部の中央部
１１，１１１，２１１                尻部の周辺部
１２，１１２，２１２                ウエスト部
１３                                補強糸
１４                                表糸
１５                                芯糸
１６                                外腹斜筋
１７                                腹直筋
１８，１１８，２１８                背面の中心上部
１９                                背面の中心下部
２０，１２０                        両尻中央部
２１，２２１                        中間部
２２２                              腹部中央部の下部
２２３                              尻部上部
Ｂ1，Ｂ2，Ｂ3                       背面
Ｂｂ                                背骨
Ｂｅ                                腹部
Ｃｔ                                補強糸の切断面
Ｆ1，Ｆ2，Ｆ3                       前面
Ｈｉ                                尻部
Ｌｅ                                両脚
Ｎ                                  起毛
Ｏｋ                                薄地の編地
Ｓｉ                                両脇
Ｔｋ                                厚地
Ｗｅ                                両脇
【図１】
0004139880.tif 000002
【図２】
0004139880.tif 000003
【図３】
0004139880.tif 000004
【図４】
0004139880.tif 000005
【図５】
0004139880.tif 000006
【図６】
0004139880.tif 000007
【図７】
0004139880.tif 000008
【図８】
0004139880.tif 000009
【図９】
0004139880.tif 000010
【図１０】
0004139880.tif 000011
【図１１】
0004139880.tif 000012
【図１２】
0004139880.tif 000013